(57)【特許請求の範囲】
【請求項１】
無線放送におけるＯＦＤＭシンボルの同期化のための方法であって、
ＯＦＤＭシンボルがフレームの中で伝送され、該ＯＦＤＭシンボルは、有効データとパイロットとガードインターバルとを有している形式の方法において、
送信側でフレームの第１のＯＦＤＭシンボルに、有効データ、第１のパイロットおよびガードインターバルの他に付加的なパイロットが所定の箇所に加算され、それによって前記第１のパイロットと付加的なパイロットからなるパイロット対が形成され、
送信側で前記パイロット対に対してシーケンスが付加的に変調され、
前記シーケンスを抽出するために、受信したＯＦＤＭシンボル毎にパイロット対が復調され、
受信側で抽出された前記シーケンスと記憶されているシーケンスが比較され、その中で各ＯＦＤＭシンボルに対する尺度が形成され、
最大の尺度を備えたＯＦＤＭシンボルが、フレームの第１のＯＦＤＭシンボルとして識別されるようにしたことを特徴とする方法。
【請求項２】
前記シーケンスは、パイロットに対し差分変調方式を用いて付加的に変調される、請求項１記載の方法。
【請求項３】
前記差分変調方式として、直交位相偏移変調方式か２進位相偏移変調方式が用いられる、請求項２記載の方法。
【請求項４】
受信側でＯＦＤＭシンボルのガードインターバルに基づいて同期化の実施と非整数倍の中心周波数エラーの検出が行われ、受信されたＯＦＤＭシンボルが非整数倍の中心周波数エラー分だけ補正される、請求項１から３いずれか１項記載の方法。
【請求項５】
前記シンボルの同期化は、相関付けを用いて達成される、請求項４記載の方法。
【請求項６】
前記非整数倍の中心周波数エラーは、ガードインターバルの自己相関の位相に基づいて検出される、請求項４または５記載の方法。
【請求項７】
抽出されたシーケンスと記憶されているシーケンスを、相互相関を用いて比較する、請求項１から６いずれか１項記載の方法。
【請求項８】
前記尺度を用いることにより、整数倍の中心周波数エラーを検出する、請求項１から７いずれか１項記載の方法。
【請求項９】
ＯＦＤＭシンボルのグループに関するフレームの同期化を、ＯＦＤＭシンボルグループのフレーム同期結果の平均化によって実施する、請求項１から８いずれか１項記載の方法。
【請求項１０】
ＤＲＭグランドモードにおける、付加的なパイロットに対する搬送波インデックスとして、１７，１９，２１，２８，２９，３２，３３，３９，４０，４１，５３，５５，５６，６０，６１，６３，７１，７３が用いられ、これらの搬送波インデックスに対するそれぞれの所属の位相として、２７０゜，１８０゜，０゜，０゜，０゜，１８０゜，０゜，９０゜，１８０゜，１８０゜，９０゜，０゜，０゜，０゜，０゜，２７０゜，０゜，１８０゜が用いられる、請求項１から９いずれか１項記載の方法。
【請求項１１】
ＤＲＭスカイモードにおける、付加的なパイロットに対する搬送波インデックスとして１４，１８，２０，２４，２６，３２，３６，４２，４４，５０，５４，５６，６２，６６，６８が用いられ、これらの搬送波インデックスにそれぞれ所属する位相として、９０゜，１８０゜，０゜，０゜，１８０゜，９０゜，０゜，１８０゜，２７０゜，０゜，０゜，２７０゜，０゜，１８０゜が用いられる、請求項１から１０いずれか１項記載の方法。
【請求項１２】
請求項１から１１に記載の方法を実施するための放送送信機および放送受信機。
【発明の詳細な説明】
【０００１】
本発明は、請求項１の上位概念による、無線放送におけるＯＦＤＭシンボルの同期化のための方法に関している。
【０００２】
例えばディジタルオーディオ放送“ＤＡＢ（Digital Audio Broadcasting）”やディジタル地上ビデオ放送“ＤＶＢ−Ｔ（Digital Video Broadcasting Terrestrisch）”などのディジタル無線放送方式では、受信機において正しい周波数のもとでフレーム開始点を見つけ出すために、周波数及びフレームの同期化が実施される。この場合ディジタルオーディオ放送では、完全な直交周波数分割多重“ＯＦＤＭ（Orthogonal Frequency Division Multiplex=Orthogonaler Frequenzmultiplex）”シンボルが同期化のために用いられる。それに対して前記ＤＶＢ−Ｔのもとでは連続したパイロット搬送波が用いられている。
FR−A-2758031 明細書からは、ＯＦＤＭ伝送システムにおける時間同期化手法が公知である。ここでは、同じ副搬送波インデックスを有する２つの順次連続するシンボルから位相差が形成されており、同期化応答は、１６の順次連続するシンボルで伝送されている。またUS-A 5,627,863 明細書からは、多重伝送方式でのデータ流の中に周期的に挿入する、同期シーケンスを用いたフレーム同期化が公知である。
【０００３】
発明の利点
それに対して、請求項１の特徴部分に記載された、無線放送におけるＯＦＤＭシンボルの同期化のための方法は次のような利点を有している。すなわち、フレーム及び周波数同期化のためのパイロット対を有しているＯＦＤＭシンボルが有効データも有しており、そのため完全なＯＦＤＭシンボルが同期化のためにだけ使われるのではないということである。このことは特に、短波、中波、長波の設けられているディジタル無線放送の分野では利点である。これらはＤＲＭ（Digital Radio Mondial）というネーミングのもとで公知である。ここでは特に帯域幅を節約して扱わなければならない。
【０００４】
さらに有利には、パイロット対をＯＦＤＭシンボルの可用なチャネル帯域幅に亘って分散可能である。それにより、このパイロット対に対する周波数選択的な欠損の影響が最小化される。ＤＲＭのもとでは多くの理由から３ｋＨｚ、全体的には１０ｋＨｚの限定された１つの帯域幅しか使用されない。
【０００５】
本発明の別の有利な実施例及び改善例は従属請求項に記載されている。
【０００６】
特に有利には、シーケンスが送信側でパイロットに、直交位相偏移変調または２相偏移変調毎の差分変調を用いて付加的に変調される。この変調方式は、シーケンスを特にノイズやチャネル障害に対して堅固にする。
【０００７】
まず最初にＯＦＤＭシンボルに対して粗い時間同期がガードインターバルの評価を用いて実施される。ガードインターバルの相関される位相から中心周波数エラー（“Frequenzablage”これは整数倍ではない）が確定され、受信されたＯＦＤＭシンボルがこの非整数倍の中心周波数エラー分だけ補正される。この場合このＯＦＤＭシンボル同期は、有利には相関付けによって達成される。これは信号処理において非常に簡単で周知の手法である。
【０００８】
その上さらに有利には、パイロット対に付加的に変調され受信されたシーケンスは、記憶されている既知の送信シーケンスと相互相関によって比較される。それにより、１つの尺度が得られ、この尺度を用いて整数倍の中心周波数が確定でき、フレームの同期も得られる。なぜならそれによって１つのフレームの最初のＯＦＤＭシンボルが同定できるからである。この１つのフレームの最初のＯＦＤＭシンボルだけがパイロット対を有する変調されたシーケンスを有している。
【０００９】
更に有利には、ＯＦＤＭシンボルのグループに亘るフレーム同期化の結果の平均化によって、フレーム同期化の向上が達成される。なぜならそれによってフレーム同期化決定における誤りが有利に補償できるからである。
【００１０】
最後に有利には、本発明による方法を実施することのできる無線送信機と無線受信機が設けられる
図面
図面には本発明の実施例が示されており、これは以下の明細書で詳細に説明される。詳細には、
図１は本発明による方法をブロック図で示したものであり、
図２は、本発明による方法を適用する伝送システム全体のブロック回路図であり図３は、第１のＯＦＤＭシンボルにおけるパイロット対の配置構成を示した図である。
【００１１】
実施例
各伝送システムにおける基本的な要求は、関与するデータ流に対する迅速な同期化である。そのため迅速な後続処理、例えば受信した放送信号に含まれているオーディオ信号のオーディオ再生などが可能である。すなわち周波数同期化も時間同期化も、さらにデータがフレームで伝送される場合には特にフレーム同期化も実施することができる。この場合は特に中心周波数エラーが、つまり受信機における固定周波数発振器によって生成される周波数のずれが、所定の周波数によって補償されなければならない。このずれは、発振器の温度による影響や発振器の経年劣化に起因する。フレーム同期化に対しては、フレーム開始点を見つけ出す目的がある。
【００１２】
ディジタル放送は、頻繁に直交周波数分割多重を用いて実施される。この直交周波数分割多重（ＯＦＤＭ＝Orthogonal Frequency Division Multiplex）は、伝送すべきデータが、隣接して存在する多数の搬送波上で、異なる周波数で分割されることを意味する。この場合搬送波は次のように構成される。すなわち搬送波上で分割された情報が互いに干渉し合わないように構成される。この特性は、直交的に表わされる。ＯＦＤＭの適用は、特に次のことに結び付く。すなわち、無線放送のもとで既知の周波数選択性の欠損、つまり周波数選択性の減衰が、伝送すべき情報全体に影響するのではなく、その僅かな部分のみが影響を受けるだけで済む。そのためチャネルコーディングとも称されるエラー補正手法を用いれば、この障害を補償することができる。この場合チャネルコーディングとは、伝送すべきデータを、場合によっては受信機において受信された改竄データが再構成できる冗長性を付加することである。
【００１３】
ＤＡＢとＤＶＢは、既に使用されている２つの放送方式であり、ＯＦＤＭが使われている。ＤＲＭ（Digital Radio Mondial）でも、短波、中波、長波の伝送に対してＯＦＤＭが用いられている。特にＤＲＭでは、難しい波長伝播条件と低い送信周波数のために、同期化の多大な耐性（ロバスト性）と伝送すべきデータの最適な効果に注意を払う必要がある。
【００１４】
それ故に本発明によれば、放送におけるＯＦＤＭシンボルの同期化のための方法において、伝送すべきフレームの第１のＯＦＤＭシンボルにおいてパイロットを加算し、それによって、既に存在するパイロットとパイロット対が形成される。本発明によれば、そのパイロット対には、受信側で受信信号から抽出されるシーケンスが付加的に変調される。相互相関を用いた、受信シーケンスと受信機内に記憶されているシーケンスの比較によって、第１のＯＦＤＭシンボルの存在の有無が検出される。それに伴ってフレーム同期化が達成される。さらにこの相互相関の尺度からは、整数倍の中心周波数エラーが検出される。
【００１５】
１つのＯＦＤＭシンボルのガードインターバルの評価を用いて達成される第１の粗い時間同期化においては、非整数倍の中心周波数エラーが、受信したＯＦＤＭシンボルにおけるこのエラーの補正のために検出される。さらにこの粗い時間同期化は、高速フーリエ変換のための時間窓を最適に位置付けするためにも必要である。このことは、特にフレーム同期化のためのデータがパイロットの形態で存在し、それ故にフレーム同期化がＯＦＤＭ復調器の後で初めて、つまりＦＦＴ（高速フーリエ変換）によって行われることを意味する。それ故にこの二段階に亘る手法は、時間同期化と周波数同期化のために必要である。
【００１６】
パイロット対に付加的に変調されるシーケンスは、差分変調を用いて、つまり直交位相偏移変調（ＱＰＳＫ：Quadratur Phase Shift Keying）か２相偏移変調（ＢＰＳＫ：Binary Phase Shift Keying）で付加的に変調される。この場合情報が、２つの順次連続するパイロット搬送波の間の位相の変化に挿入される。このことは非常に堅固な伝送につながる。ＢＰＳＫのもとではこれは例えば０゜と１８０゜の位相であり、ＱＰＳＫのもとでは、それぞれ９０゜ずつ相互にずれている４つの位相、すなわち例えば４５゜、１３５゜、２２５゜、３１５゜である。
【００１７】
フレーム同期化結果の複数のＯＦＤＭグループに亘る平均化によって（この場合のこれらのグループは、部分量としてのフレームであり得る）、フレーム同期化結果の改善が達成される。なぜなら相互のずれが補償されるからである。
【００１８】
図１には、本発明による、無線放送におけるＯＦＤＭシンボルの同期化のための方法がブロック図で示されている。データ流２は、前述したように近接して存在する様々な搬送波に対して異なる周波数に分割するために、ＯＦＤＭ変調器１に供給される。ブロック３では、ＯＦＤＭデータにパイロットが付加される。この場合フレームの第１のＯＦＤＭシンボル内でパイロット対が形成される。ブロック４では、ＯＦＤＭシンボルが複数のパイロットを伴ってブロック５に送信され、ブロック５では無線チャネルを介して伝送が行われる。ブロック６ではこのＯＦＤＭシンボルが受信され、引続きブロック７では、ガードインターバルとシンボル端部との相関付けを用いて粗い時間同期化が実施される。この評価は、ＯＦＤＭシンボルのガードインターバルの識別を用いて成功する。ＯＦＤＭシンボルのガードインターバルは、マルチパス伝播を補償する役割を担っている。なぜなら無線放送のもとでは、複数の信号が送信局から受信機に至るまでに種々異なる長さの様々な経路を経由し得るからである。このことは送信局からの無線信号が様々な建物や山、樹木などによって反射し、異なる経路を通って受信機に受取られることに起因している。ガードインターバルの長さは、このマルチパス伝播に起因して順次連続するシンボルの重なりが生じないように選定されるべきである。それによってこのガードインターバルは、有効情報の重畳を避けるための緩衝役となる。
【００１９】
送信機と受信機との間の周波数シフトの存在によって、中間周波数エラーが存在し得る。これは２つの成分に分けることが可能である。すなわちその１つは、搬送波間隔の整数倍に相応する成分であり、もう１つは、残りの非整数倍の成分である。整数倍の成分は、ＯＦＤＭ復調器の出力側における全ての搬送波のシフトにつながる。それによりＯＦＤＭ伝送系の直交性は損なわれない。しかしながら非整数倍の成分は、ＯＦＤＭシンボルをこの整数倍の成分だけ補正するために評価が必要である。このことは、ガードインターバルの自己相関による位相評価によって行われ得る。以下に示す数式は、自己相関の位相φと中心周波数エラーの非整数倍の成分ｄｆとの間の数学的な関係を表わすものである。
【００２０】
【数１】
0004700253.tif 000002
【００２１】
前記ｄｏｐｔは、ＯＦＤＭ信号のスタート位置であり、
前記ＮｐＤは、ＤＦＴ長さであり、
前記ＮＧは、サンプリング値におけるガードインターバルの長さであり、
前記ＴＵは、使用可能なシンボル持続時間である。
【００２２】
なお、前記ＤＦＴとは離散フーリエ変換のことであり、この場合ＦＦＴとは、効果的なアルゴリズムに従って実行されるＤＦＴである。
【００２３】
非整数倍の成分ｄｆは受信信号の全てのサンプリング値に対して補償される。このことはブロック８において行われる。ブロック９では、ＯＦＤＭ復調が実施される。ＯＦＤＭ復調部の出力側からはここにおいて復調されたＯＦＤＭシンボルが送出される。ブロック１０では、パイロットからシーケンスが抽出される。但しここでは、どのＯＦＤＭシンボルが第１のＯＦＤＭシンボルなのかはわからないので、受信機は、様々なＯＦＤＭシンボルからのシーケンスの抽出を試みて、抽出されたシーケンスと記憶されているシーケンス（これはまさに送信されたシーケンスに相応する）との比較を行う。ブロック１０では、ＯＦＤＭシンボルにおいてもパイロット抽出に対する様々な試行位置が用いられる。なぜならガードインターバルとの第１の粗い時間同期が、必ずしもＯＦＤＭシンボル始点との正確な時間同期には結び付かないらである。ガードインターバルとの同期の他にも別の同期アルゴリズムが可能である。
【００２４】
この場合受信機は、シーケンスの抽出のためにブロック１０において差分変調を実施する。抽出されたシーケンスと記憶されているシーケンスとの比較に対して相互相関を用いることによって、相関付けの品質尺度Λが確定される。これは復調されたシーケンスが記憶されているシーケンスと同一である場合に最大となる。従って相関付け品質尺度Λの最大値が算出されたＯＦＤＭシンボルは、フレームの第１のＯＦＤＭシンボルとみなされる。これによってフレーム同期化が達成される。この最大値が算出された試行位置は、整数倍の中間周波数エラーを示す。
【００２５】
数学的には、このフレーム同期化と周波数同期化に対して以下のように書き表すことができる。すなわち、
ｓ＝[ｓ(０),………,ｓ(ｉ),………,ｓ(Ｎp−１）]
この場合ｓは、良好な相関特性を有するさらに定めるべきシーケンスであり得る。
【００２６】
評価窓のシフトによれば、復調されたシーケンスｒが、受信したＯＦＤＭシンボル毎と各試行位置ｇ毎に、受信した副搬送波シンボルＸから算出される。
【００２７】
【数２】
0004700253.tif 000003
【００２８】
この場合前記ｋは、フレーム内のＯＦＤＭシンボルのナンバーであり(ｋ=１………5）、
前記ｇは、試行位置であり、
前記ｉは、パイロット対のインデックスであり（ｉ=０………Ｎｐ−１）、
前記Ｎｐは、パイロット対の数であり、
前記ｆ(ｉ），ｆ(ｉ)＋１は、パイロット対の副搬送波インデックス（周波数）であり、
前記Ｘｋ，ｉは、副搬送波シンボル（時間インデックスｋ、周波数インデックスｉ）である。シーケンスｒの個々の各要素は、パイロット対の差分変調によって求められる。
【００２９】
復調された各シーケンスｒ毎に、受信機側で既知のシーケンスｓとの周期的な相互相関が算出される。その際には以下の式、
【００３０】
【数３】
0004700253.tif 000004
【００３１】
が有効である。理想的な伝送条件を前提とすれば、フレーム同期化と周波数同期化の評価窓において全てのパイロット対が存在する場合には、前記式（１）がシーケンスｓの周期的な自己相関に相応する。
【００３２】
相関結果の評価のために、様々な相互相関の品質尺度、例えばメリット係数（ＭＦ）などが定義できる。これは周期的な相互相関のメインバリューのエネルギーと全てのサブバリュー内に含まれているエネルギとの比を表わしたものであり、これは以下の式、
【００３３】
【数４】
0004700253.tif 000005
【００３４】
で表せる。この相関品質尺度は、前記式（１）に従って求められた相関シーケンス毎に求めることが可能である。前記式（２）からは、シーケンスｒがシーケンスｓに最も相似している場合にメリット値が最大になることがみてとれる。このケースでは、周期的な相互相関のメインバリュー内に含まれているエネルギが最大でサブバリュー内に含まれているエネルギは最小である。
【００３５】
メリット係数の他のさらなる相関品質尺度は、相互相関メイン極大値と、絶対値的に最大のサブ極大値との間の比である。しかしながら試行では、メリット係数の推定すべきノイズ形状の障害のもとで適切な相関品質尺度であることが示されている。
【００３６】
相関シーケンスｓの選択の際には、次のことに注意する必要がある。すなわち基本的にシーケンスの各々の長さ毎に完全な自己相関特性を伴ったシーケンスが見つけ出されなければならないことである。換言すれば、パイロット対の数は、選択可能なパラメータである。マルチパス伝播に基づいて受信機における個々のＯＦＤＭシンボルは障害の影響を強く受ける。しかしながら同期化フェーズの間は、まだチャネル推定は行われないので、受信機における相関シーケンスｒは、差分復調によって個々の副搬送波シンボル対から求められなければならない。強いノイズ耐性を達成するためには、相関シーケンスｓの位相状態の数を極力僅かにする必要がある。そのため、２相偏移変調または直交位相偏移変調（これらの一方は２つの位相状態を有し他方は４つの位相状態を有する）が用いられる。ブロック１０の出力値としてフレーム同期化信号１１と整数倍の中心周波数エラー１２が送出される。
【００３７】
図２は、本発明による方法の適用下での総伝送システムのブロック回路図である。ここではデータソース１３と、オーディオ符号化源１５、その他のデータ及び制御データ源１９が存在している。これらのデータソース１３，１５，１９は、それぞれ１つのチャネルコーディング部１４，１６，２０に接続される。チャネルコーディング部１４ないし１６の後には時間に関するそれぞれ１つの分類分けがブロック１７、１８において続けられる。これらはタイムインターリービング手法として公知なものである。時間に関するデータの分類分けは、次のような利点を有している。すなわち隣接するデータ、例えば音声データが障害的なバーストによって全体で障害を受けることがなくなる利点である。なぜならばそれらはタイムインターリービングによって時間的に相互に十分に引き離されるからである。このバーストの影響は、エラー補正手段によって、受信側で僅かに補正されるだけである。
【００３８】
タイムインタリーバー１７，１８とチャネルコーディング部２０の出力データは、ブロック２１の多重化器において統合される。ブロック２２では、これらのデータが様々な搬送波に分割され、ここではすなわちＯＦＤＭ変調が行われる。ブロック２３では、ＯＦＤＭ信号が時間領域に変換される。この場合はブロック２４のパイロットが当該ＯＦＤＭシンボルに加算される。ブロック２５ではＯＦＤＭ信号がディジタル/アナログ変換器２５を用いて伝送のためのアナログ信号に変換される。後続の高周波送信機２６はそのアンテナからアナログ信号を無線チャネル２７を介して送信する。
【００３９】
高周波受信機２８は、無線チャネル２７を介して伝送されたＯＦＤＭ信号を受信する。この高周波受信機２８は、受信したＯＦＤＭ信号をアナログ/ディジタル変換器２９に転送し、該変換器は受信したＯＦＤＭ信号をディジタル信号に変換する。ブロック３０ではＯＦＤＭ復調が行われる。この場合は、事前にブロック３１において粗い時間同期化が前述したように実施される。復調された信号は、その後ブロック３２においては制御情報の復調が行われ、ブロック３３においてはいわゆるデインターリーブ（deinterleaving）、つまり時間に関するデータの配置替えの逆戻しが行われ、それによってここで再び正しい時間順序が与えられ、プログラム選択のために送信される。ブロック３４では、チャネルコーディングが実施され、それに対してブロック３５ではオーディオデータまたはその他のデータの復号化が実施される。
【００４０】
図３には、１つのフレームの第１のＯＦＤＭシンボル内のパイロットの配置が示されている。この場合横軸方向の数字は、ＯＦＤＭシンボルの種々異なる搬送波を表わしている。符号３８は、チャネル推定のために設けられたパイロットを表わしている。符号３９は、本発明により第１のシンボルに加算されたパイロットを表わしており、これらはパイロット対もしくはパイロットトリプルを形成するために加えられたものである。これらの付加的なパイロットは、ここではチャネル推定の改善のためにも利用される。これはコヒーレントな復調に必要とされる。
【００４１】
パイロット対の配置構成は最初は任意に行われる。この場合は、パイロット対（それらに対してシーケンスが変調される）の数が多ければ多いほど良好なフレーム同期化につながる。これらのパイロットの間には有効情報が存在し、それらはフレーム同期化に利用される第１のシンボル内においても伝送される。非常に良好な相関特性を有する様々な既知のシーケンス（例えばＣＡＺＡＣシーケンス、Milewski-シーケンス、Frank-シーケンス、Lemple-シーケンス、差分量シーケンス“Differenzmengenfolgen”、平方剰余シーケンスなど）毎に異なるメリット係数Λが算出される。その場合、位相状態の少ない１０、１４及び１８のシーケンス長のシーケンスに対しては良好なメリット係数は算出できない。いずれにせよ１６のパイロット対を有するシーケンス、Frank-シーケンスは、特に高いメリット係数を有し、それ故に特に堅固である。この場合は４つの位相状態、すなわちＱＰＳＫが用いられている。
【００４２】
ＯＦＤＭシンボルの複数のグループに亘る平均化によれば（この場合ＯＦＤＭシンボルの複数のグループとは、フレームの複数の部分であり得る）、同期化方式の性能をさらに高めることができる。このことは、個々のエラーが平均化によって補償されることに基づく。
【００４３】
中波領域ないしは長波領域において使用されるＤＲＭグランドモードでは、パイロット対を形成するための付加的なパイロットが以下に表わすテーブル１に従って相応の搬送波インデックスのもとで所定の周波数と付加的搬送波の位相が割当てられる。
【００４４】
テーブル１：ＤＲＭグランドモードにおける付加的なパイロットの搬送波インデックスと付加的搬送波の位相
【００４５】
【表１】
0004700253.tif 000006
【００４６】
以下のテーブルにはＤＲＭスカイモードにおける加算されるべきパイロットに対する搬送波インデックスと付加的搬送波の位相が示されている。このＤＲＭスカイモードとは短波領域に対して考察されているものである。
【００４７】
テーブル２：ＤＲＭスカイモードにおける付加的なパイロットの搬送波インデックスとあらたな搬送波の位相
【００４８】
【表２】
0004700253.tif 000007
【図面の簡単な説明】
【図１】  図１は本発明による方法をブロック図で示したものである。
【図２】  本発明による方法を適用する伝送システム全体のブロック回路図である。
【図３】  第１のＯＦＤＭシンボルにおけるパイロット対の配置構成を示した図である。
【図１】
0004700253.tif 000008
【図２】
0004700253.tif 000009
【図３】
0004700253.tif 000010